(57)【要約】【課題】  小型、低コストで制御電源回路の遮断が可能となるエレベータの制御装置を得る。【解決手段】  商用電源１を電力源として電動機７を駆動するための電源を生成する電力変換器６と、この電力変換器の電力変換を制御するエレベータ制御回路９と、この制御回路を含むエレベータに備えられる他のエレベータ機器への各種電源を生成する制御電源回路８と、エレベータ制御回路９がエレベータの運行状況から待機電力低減モードヘの移行を決定したとき、その出力信号に基づいて、制御電源回路８を遮断する電源駆動回路１３とを備える。【選択図】      図１
2005162441.tif 000002
【特許請求の範囲】
【請求項１】
商用電源を電力源として電動機を駆動するための電源を生成する電力変換器と、
この電力変換器の電力変換を制御するエレベータ制御回路と、
この制御回路を含むエレベータに備えられる他のエレベータ機器への各種電源を生成する制御電源回路と、  
前記エレベータ制御回路がエレベータの運行状況から待機電力低減モードヘの移行を決定したとき、その出力信号に基づいて、前記制御電源回路を遮断する電源駆動回路と、
を備えたことを特徴とするエレベータの制御装置。
【請求項２】
商用電源を電力源として電動機を駆動するための電源を生成する電力変換器と、
この電力変換器の電力変換を制御するエレベータ制御回路と、
この制御回路を含むエレベータに備えられる他のエレベータ機器への各種電源を生成する制御電源回路と、
前記商用電源を入力とし、制御電源回路を投入遮断するための電圧源となる電源を生成する制御電源投入遮断用スタンバイ電源と、  
前記エレベータ制御回路がエレベータの運行状況から待機電力低減モードヘの移行を決定したとき、その出力信号に基づいて、前記制御電源回路を遮断する電源駆動回路と、
を備えたことを特徴とするエレベータの制御装置。
【請求項３】
制御電源回路を、出力電圧のオン、オフ制御容易なＡＣ／ＤＣコンバータから成るスイッチング電源で構成したことを特徴とする請求項１又は請求項２記載のエレベータの制御装置。
【請求項４】
待機電力低減モードから通常運転モードヘの復帰は、待機電力低減モード時にも常に動作状態にある制御電源投入遮断用スタンバイ電源を電源とした信号伝達回路の回路電流が、各階に設けられた乗場呼びボタン、もしくは専用に設けられる解除ボタンの操作により、遮断または投入されることにより、制御電源回路が再投入されることを特徴とする請求項1〜請求項３のいずれかに記載のエレベータの制御装置。
【請求項５】
乗場呼びボタン、もしくは専用に設けられる解除ボタンに、待機電力低減モード状態を表示する表示機能を備えたことを特徴とする請求項５記載のエレベータの制御装置。
【発明の詳細な説明】
【技術分野】
【０００１】
この発明はエレベータの制御装置に関するものである。
【背景技術】
【０００２】
従来のエレベータ制御装置においては、動力源となる商用電源と電力変換器および制御電源回路の間に、リレー回路手段を設けて、待機電力低減モード時にエレベータのメイン3相入力ラインを全て遮断可能としていた。また、上記リレー回路手段は、励磁回路のリレーシーケンスにより行われていた（例えば、特許文献１参照）。
【０００３】
【特許文献１】特開２００１−２３３５号公報
【発明の開示】
【発明が解決しようとする課題】
【０００４】
従来のエレベータの制御装置では、エレベータのメイン３相入力ラインを投入、遮断するため、大きな定格の電磁接触器やＳＳＲ（固体リレー）などの交流遮断器が必要となる。従って、設置スペースの増加や、高コストになるなどの問題がある。
また、リレー回路の励磁エネルギーが大きく、リレー回路励磁用の電源P−Nも大容量のものが必要となり、ここでもスペース増や、コスト増となるなどの問題がある。
【０００５】
この発明は、かかる課題を解決するためになされたもので、第１の目的は、小型、低コストで制御電源回路の遮断が可能となるエレベータの制御装置を提供するものである。
【課題を解決するための手段】
【０００６】
この発明に係るエレベータの制御装置は、商用電源を電力源として電動機を駆動するための電源を生成する電力変換器と、この電力変換器の電力変換を制御するエレベータ制御回路と、この制御回路を含むエレベータに備えられる他のエレベータ機器への各種電源を生成する制御電源回路と、エレベータ制御回路がエレベータの運行状況から待機電力低減モードヘの移行を決定したとき、その出力信号に基づいて、制御電源回路を遮断する電源駆動回路とを備えたものである。
【発明の効果】
【０００７】
この発明は、動力電源の入力ラインに大型、大定格、高コストの電磁接触器やＳＳＲなどが不要となり、制御電源回路のオン、オフ機能により、小型、低コストで制御電源回路の遮断が可能となり、低消費電力のエレベータの制御装置が実現できる。
【発明を実施するための最良の形態】
【０００８】
実施の形態1
図１はこの発明を実施するための実施の形態１におけるエレベータの制御装置を示す全体構成図である。
図１において、１は動力源となる３相の商用電源、２はメインブレーカ、３はエレベータの安全回路が動作したときに開放される電磁接触器、４は３相交流を直流に変換するコンバータ、５はコンバータ４の出力を平滑する平滑コンデンサ、６は平滑コンデンサ５で平滑された直流電圧を可変電圧、可変周波数の交流電圧に変換するインバータ、７はインバータ６の出力により制御されるエレベータ駆動用電動機、８は３相もしくは単相（図１では３相入力を示す）の商用電源を入力とし、エレベータ用の各種電源を生成する制御電源回路で、ＡＣ／ＤＣコンバータからなるスイッチング電源で構成されている。９は制御電源回路８で生成されるある電圧を電源として動作し、上記電磁接触器３やインバータ６などを制御するエレベータ制御回路、１０は３相もしくは単相（図１では３相入力を示す）の商用電源を入力とし、制御電源回路８を投入／遮断するための電圧源となる電源１１を生成する制御電源投入遮断用スタンバイ電源、１２は電源１１の基準グランド、１３は上記エレベータ制御回路９の待機電力低減モードへの移行指令を入力とし、制御電源回路８に制御電源投入／遮断信号を出力する電源駆動回路である。
ここで、電源駆動回路１３は、上記制御電源投入遮断用スタンバイ電源１０と信号伝達用フォトカプラ１４（絶縁が不要であればトランジスタで構成することも可能である）、制限抵抗1６ａ、各階に設けられた乗場呼びボタン、もしくは専用に設けられる解除ボタンの接点１５ａ〜１５ｄ、トランジスタ１７ａの直列回路で構成され、さらにトランジスタ１７ａは待機電力低減モードヘの移行指令を受けて動作するトランジスタ１７ｂと、電源１１と、抵抗１６ｂとにより駆動される。
【０００９】
次にこの発明の実施の形態１の動作を説明する。
エレベータの運行状況（例えば、一定時間エレベータの呼び登録が無く、エレベータが停止状態を継続したとき）から、エレベータ制御回路9が待機電力低減モードヘの移行を決定したとき、エレベータ制御回路９は電源駆動回路１３に待機電力低減モードヘの移行指令を出力する。図１においては、通常運転モード時Hレベル、移行指令時Lレベルの信号を出力することになる。電源駆動回路１３は、通常運転モード時は、トランジスタ１７ｂがオンし、トランジスタ１７ａがオフとなっているため、フォトカプラ１４の入力ＬＥＤに電流が流れない。従ってフォトカプラ１４がオフとなり、制御電源回路８へ制御電源投入（起動）信号を出力する。ここで、制御電源回路８はスイッチング電源（ＡＣ／ＤＣコンバータ）で構成されており、上記投入（起動）信号に従い、各種エレベータ機器に必要な電圧を出力し、エレベータは通常の運行状態にある。
次に、この状態から待機電力低減モードヘの移行指令（Lレベル）が出力されると、今度はトランジスタ１７ｂがオフ、トランジスタ１７ａがオンすることにより、フォトカプラ１４がオンし、制御電源遮断信号が出力され、制御電源回路８の出力は遮断される。また、このときエレベータ制御回路9への電源供給も断たれるため、待機電力低減モードヘの移行信号はハイインピーダス状態となり、トランジスタ１７ｂのオフ状態は継続されるため、待機電力低減モード状態が維持される。
以上により、制御電源回路8は出力電力ゼロとなり、待機電力が大幅に削減されることになる。このとき、エレベータ全体で見た消費電力は、フォトカプラ１４の入力ＬＥＤに流す僅かな電流と、制御電源回路８及び制御電源投入遮断用スタンバイ電源１０の無効電力（入力側で消費される出力に寄与しない消費電力）のみとなり、マイコンなどを常時生かしておく必要がなく、非常に低消費電力のエレベータの制御装置が実現できる。特に小型エレベータやホームエレベータなど低階床のエレベータにおいては、各階を横断する配線長も短くて済むため、有効なものである。
次に、通常運転モードヘの復帰シーケンスについて説明する。各階に設けられた乗場呼びボタンもしくは専用に設けられた待機電力解除ボタンの操作により、それらの接点１５ａ〜１５dのいずれかが開放され、フォトカプラ１４の入力ＬＥＤ電流が断たれ、再び制御電源回路８が動作する。これと同時に待機電力低減モードヘの移行信号がHレベルを出力することにより、エレベータは通常運転モードを継続することとなる。
【００１０】
実施の形態２
次にこの発明の実施の形態２について、図２を用いて説明する。
図２は、図１の電源駆動回路１３を別の回路で構成した場合であり、実施の形態１における電源駆動回路１３がボタン接点１５ａ〜１５ｄを直列接続して構成しているのに対し、この実施の形態２では、電源駆動回路１３ａはボタン接点１５ａ〜１５ｄの並列接続にて回路を構成している。
動作については、ボタンを常開接点とし、ボタン接点１５ａ〜１５ｄがどれかひとつでも閉成することにより、フォトカプラ１４の入力ＬＥＤ電流が断たれ、実施の形態1と同様に通常運転モードヘ復帰する。
この実施の形態２においても、図１に示す実施の形態１と同様の効果を奏することができる。尚、実施の形態１および２においては、フォトカプラ１４の入力ＬＥＤ電流が断たれた時に、制御電源回路８が動作する論理の場合を示したが、この逆の論理であっても、図示しなくても、回路の構成により実現可能である。
【００１１】
実施の形態３
図３及び図４はそれぞれこの発明の実施の形態３を示し、実施の形態１及び２の電源駆動回路１３又は１３ａが待機電力低減モード状態にあるとき、その状態を示す表示用ＬＥＤ１８をフォトカプラ１４と直列に接続したものである。
これにより、フォトカプラ１４がオン状態のとき、フォトカプラ１４の入力ＬＥＤに流れる電流がそのまま表示用ＬＥＤ１８を流れるので、消費電力を増加させることなく、エレベータ利用者に対して、エレベータの待機状態を表示することができ、利用者への省エネアピール効果にもなる。
【図面の簡単な説明】
【００１２】
【図１】この発明の実施の形態１におけるエレベータの制御装置を示す全体構成図である。
【図２】この発明の実施の形態２におけるエレベータの制御装置の電源駆動回路を示す回路図である。
【図３】この発明の実施の形態３におけるエレベータの制御装置の電源駆動回路を示す回路図である。
【図４】この発明の実施の形態３におけるエレベータの制御装置の電源駆動回路の他の例を示す回路図である。
【符号の説明】
【００１３】
１  商用電源
２  メインブレーカ
３  電磁接触器
４  コンバータ
５  平滑コンデンサ
６  インバータ
７  エレベータ駆動用電動機
８  制御電源回路
９  エレベータ制御回路
１０  制御電源投入遮断用スタンバイ電源
１１  電圧源となる電源
１２  基準グランド
１３  電源駆動回路
１４  信号伝達用フォトカプラ
１５ａ〜１５ｄ  解除ボタンの接点
１６ａ、１６ｂ  抵抗
１７ａ、１７ｂ  トランジスタ  
１８  表示用ＬＥＤ
【図１】
2005162441.tif 000003
【図２】
2005162441.tif 000004
【図３】
2005162441.tif 000005
【図４】
2005162441.tif 000006